【手続補正書】
【提出日】平成26年6月4日(2014.6.4)
【手続補正１】
【補正対象書類名】特許請求の範囲
【補正対象項目名】全文
【補正方法】変更
【補正の内容】
【特許請求の範囲】
【請求項１】
電気光学素子と、
保持容量と、
一方の主電極端に供給された映像信号と対応する駆動電圧を保持容量に書き込む書込トランジスタと、
制御入力端が保持容量の一端と第１ノードにて接続されており、保持容量に書き込まれた駆動電圧に基づいて電気光学素子を駆動する駆動トランジスタ、
とを備え、
駆動トランジスタの一方の主電極端と保持容量の他端と電気光学素子の一端とが電気的に第２ノードに接続されており、
書込トランジスタを介して映像信号と対応する駆動電圧を保持容量に書き込みつつ、駆動トランジスタを介して保持容量に電流を供給する第１の処理の際に、電気光学素子がターンオンするのを抑制可能に構成されている画素回路。
【請求項２】
第１の処理の際に電気光学素子がターンオンしない程度に、第１の処理の開始前に予め電気光学素子を逆バイアス状態に制御可能に構成されている請求項１に記載の画素回路。
【請求項３】
映像信号と対応する駆動電圧を保持容量に書き込みつつ駆動トランジスタを介して保持容量に電流を供給する第１の処理と連動して、電気光学素子がターンオンするのを抑制する制御部を備えている請求項１または請求項２に記載の画素回路。
【請求項４】
制御部は、第１ノードと駆動トランジスタの他方の主電極端との間に、駆動トランジスタの閾値電圧の補正を行なう第２の処理を制御する閾値補正制御トランジスタを有する請求項３に記載の画素回路。
【請求項５】
制御部は、書込トランジスタの他方の主電極端と第２ノードとの間に結合容量を有する請求項３または請求項４に記載の画素回路。
【請求項６】
駆動トランジスタの閾値電圧の補正を行なう第２の処理時には、初期化電圧が書込トランジスタを介して結合容量に供給される請求項５に記載の画素回路。
【請求項７】
制御部は、駆動トランジスタの閾値電圧の補正を行なう第２の処理時に初期化電圧を結合容量に供給する初期化トランジスタを有する請求項５に記載の画素回路。
【請求項８】
映像信号の初期化電圧に対する極性は、第１の処理の開始前に電気光学素子を逆バイアス状態に制御可能な極性である請求項６または請求項７に記載の画素回路。
【請求項９】
制御部は、駆動トランジスタの他方の主電極端と電源線との間に発光制御トランジスタを有する請求項３ないし請求項８のいずれか１項に記載の画素回路。
【請求項１０】
電気光学素子が配列された画素部を備え、
特性制御部は、電気光学素子ごとに、駆動トランジスタの特性を制御する請求項１ないし請求項９のいずれか１項に記載の画素回路。
【請求項１１】
画素部は、電気光学素子が２次元マトリクス状に配列されている請求項１０に記載の画素回路。
【請求項１２】
電気光学素子は自発光型である請求項１ないし請求項１１のいずれか１項に記載の画素回路。
【請求項１３】
電気光学素子は有機エレクトロルミネッセンス発光部を有する請求項１２に記載の画素回路。
【請求項１４】
電気光学素子、保持容量、一方の主電極端に供給された映像信号と対応する駆動電圧を保持容量に書き込む書込トランジスタ、及び、制御入力端が保持容量の一端と第１ノードにて接続されており保持容量に書き込まれた駆動電圧に基づいて電気光学素子を駆動する駆動トランジスタを具備した表示素子が配列されており、
駆動トランジスタの一方の主電極端と保持容量の他端と電気光学素子の一端とが電気的に第２ノードに接続されており、更に、
映像信号と対応する駆動電圧を保持容量に書き込みつつ駆動トランジスタを介して保持容量に電流を供給する第１の処理と連動して、電気光学素子がターンオンするのを抑制する制御部を備えた表示装置。
【請求項１５】
制御部は、
第１ノードと駆動トランジスタの主電極端の他端との間に、駆動トランジスタの閾値電圧の補正を行なう第２の処理を制御する閾値補正制御トランジスタを有し、更に、
閾値補正制御トランジスタをオン／オフ制御する閾値補正制御走査部を有する請求項１４に記載の表示装置。
【請求項１６】
制御部は、
駆動トランジスタの閾値電圧の補正を行なう第２の処理時には、初期化電圧が一方の主電極端に供給されている書込トランジスタを制御する請求項１５に記載の表示装置。
【請求項１７】
制御部は、
駆動トランジスタの閾値電圧の補正を行なう第２の処理時に初期化電圧を結合容量に供給する初期化トランジスタを有し、更に、
初期化トランジスタをオン／オフ制御する初期化走査部を有する請求項１５に記載の表示装置。
【請求項１８】
制御部は、
駆動トランジスタの他方の主電極端と電源線との間に発光制御トランジスタを有し、更に、
発光制御トランジスタをオン／オフ制御する発光制御走査部を有する請求項１４ないし請求項１７のいずれか１項に記載の表示装置。
【請求項１９】
電気光学素子、保持容量、一方の主電極端に供給された映像信号と対応する駆動電圧を保持容量に書き込む書込トランジスタ、及び、制御入力端が保持容量の一端と第１ノードにて接続されており保持容量に書き込まれた駆動電圧に基づいて電気光学素子を駆動する駆動トランジスタを具備した表示素子が配列されており、駆動トランジスタの一方の主電極端と保持容量の他端と電気光学素子の一端とが電気的に第２ノードに接続されている画素部と、
画素部に供給される映像信号を生成する信号生成部と、
映像信号と対応する駆動電圧を保持容量に書き込みつつ駆動トランジスタを介して保持容量に電流を供給する第１の処理と連動して、電気光学素子がターンオンするのを抑制する制御部、
とを備えた電子機器。
【請求項２０】
電気光学素子を駆動する駆動トランジスタを備えた画素回路を駆動する方法であって、
映像信号と対応する駆動電圧を保持容量に書き込みつつ駆動トランジスタを介して保持容量に電流を供給する処理の際に、電気光学素子がターンオンするのを抑制する画素回路の駆動方法。
【手続補正２】
【補正対象書類名】明細書
【補正対象項目名】００３８
【補正方法】変更
【補正の内容】
【００３８】
尚、製品形態としては、図示のように、表示パネル部１００、駆動信号生成部２００、及び映像信号処理部２２０の全てを備えたモジュール（複合部品）形態の表示装置１として提供されることに限らず、例えば、表示パネル部１００のみで表示装置１として提供してもよい。又、表示装置１は、封止された構成のモジュール形状のものをも含む。例えば、画素アレイ部１０２に透明なガラス等の対向部が貼り付けられて形成された表示モジュールが該当する。透明な対向部には、カラーフィルタ、保護膜、遮光膜等が設けられてもよい。表示モジュールには、外部から画素アレイ部１０２への映像信号Ｖsigや各種の駆動パルスを入出力するための回路部やＦＰＣ（フレキシブルプリントサーキット）等が設けられていてもよい。
【手続補正３】
【補正対象書類名】明細書
【補正対象項目名】００４６
【補正方法】変更
【補正の内容】
【００４６】
端子部１０８の各端子は、配線１１０を介して、垂直駆動部１０３や水平駆動部１０６に接続される。例えば、端子部１０８に供給された各パルスは、必要に応じて図示を割愛したレベルシフタ部で電圧レベルを内部的に調整した後、バッファを介して垂直駆動部１０３の各部や水平駆動部１０６に供給される。
【手続補正４】
【補正対象書類名】明細書
【補正対象項目名】００４７
【補正方法】変更
【補正の内容】
【００４７】
画素アレイ部１０２は、図示を割愛するが（詳細は後述する）、表示素子としての有機ＥＬ素子に対して画素トランジスタが設けられた画素回路１０が行列状に２次元配置され、画素配列に対して行ごとに垂直走査線ＳＣＬが配線されるとともに、列ごとに映像信号線ＤＴＬが配線された構成となっている。つまり、画素回路１０は、垂直走査線ＳＣＬを介して垂直駆動部１０３と接続され、又、映像信号線ＤＴＬを介して水平駆動部１０６と接続されている。具体的には、マトリクス状に配列された各画素回路１０に対しては、垂直駆動部１０３によって駆動パルスで駆動されるＭ行分の垂直走査線ＳＣＬ_1〜ＳＣＬ_Mが画素行ごとに配線される。垂直駆動部１０３は、論理ゲートの組合せ（ラッチやシフトレジスタ等も含む）によって構成され、画素アレイ部１０２の各画素回路１０を行単位で選択する、即ち、駆動信号生成部２００から供給される垂直駆動系のパルス信号に基づき、垂直走査線ＳＣＬを介して各画素回路１０を順次選択する。水平駆動部１０６は、論理ゲートの組合せ（ラッチやシフトレジスタ等も含む）によって構成され、画素アレイ部１０２の各画素回路１０を列単位で選択する。即ち、水平駆動部１０６は、駆動信号生成部２００から供給される水平駆動系のパルス信号に基づき、選択された画素回路１０に対し映像信号線ＤＴＬを介して映像信号ＶＳの内の所定電位（例えば映像信号Ｖsigレベル）をサンプリングして保持容量Ｃcsに書き込ませる。
【手続補正５】
【補正対象書類名】明細書
【補正対象項目名】００５４
【補正方法】変更
【補正の内容】
【００５４】
具体的には、駆動トランジスタＴＲDは、ゲート電極３１、ゲート絶縁層３２、半導体層３３、半導体層３３に設けられたソース／ドレイン領域３５、及び、ソース／ドレイン領域３５の間の半導体層３３の部分が該当するチャネル形成領域３４から構成されている。保持容量Ｃcsは、他方の電極３６、ゲート絶縁層３２の延在部から構成された誘電体層、及び、一方の電極３７（第２ノードＮＤ2に相当する）から成る。ゲート電極３１、ゲート絶縁層３２の一部、及び、保持容量Ｃcsを構成する他方の電極３６は、支持体２０上に形成されている。駆動トランジスタＴＲDの一方のソース／ドレイン領域３５は配線３８に接続され、他方のソース／ドレイン領域３５は一方の電極３７に接続されている。駆動トランジスタＴＲD及び保持容量Ｃcs等は、層間絶縁層４０で覆われており、層間絶縁層４０上に、アノード電極５１、正孔輸送層、発光層、電子輸送層、及び、カソード電極５３から成る発光部ＥＬＰが設けられている。図３においては、正孔輸送層、発光層、及び、電子輸送層を１層５２で表した。発光部ＥＬＰが設けられていない層間絶縁層４０の部分の上には、第２層間絶縁層５４が設けられ、第２層間絶縁層５４及びカソード電極５３上には透明な基板２１が配置されており、発光層にて発光した光は、基板２１を通過して、外部に出射される。一方の電極３７とアノード電極５１とは、層間絶縁層４０に設けられたコンタクトホールによって接続されている。カソード電極５３は、第２層間絶縁層５４、層間絶縁層４０に設けられたコンタクトホール５６、コンタクトホール５５を介して、ゲート絶縁層３２の延在部上に設けられた配線３９に接続されている。
【手続補正６】
【補正対象書類名】明細書
【補正対象項目名】００５５
【補正方法】変更
【補正の内容】
【００５５】
［駆動方法］
発光部の駆動方法に関して、以下に説明する。理解を容易にするべく、画素回路１０を構成する各トランジスタは、ｎチャネル型のトランジスタから構成されているとして説明する。又、発光部ＥＬＰは、アノード端が第２ノードＮＤ2に接続され、カソード端はカソード配線cath（その電位をカソード電位Ｖcathとする）に接続されるものとする。更には、ドレイン電流Ｉdsの値の大小によって、発光部ＥＬＰにおける発光状態（輝度）が制御される。発光素子の発光状態においては、駆動トランジスタＴＲDの２つの主電極端（ソース／ドレイン領域）は、一方（発光部ＥＬＰのアノード側）がソース端（ソース領域）として働き、他方がドレイン端（ドレイン領域）として働く。表示装置は、カラー表示対応のものであり、Ｎ×Ｍ個の２次元マトリクス状に配列された画素回路１０から構成され、カラー表示の一単位を成す１つの画素回路は、３つの副画素回路（赤色を発光する赤色発光画素回路１０_R、緑色を発光する緑色発光画素回路１０_G、青色を発光する青色発光画素回路１０_B）から構成されているとする。各画素回路１０を構成する発光素子は、線順次駆動されるとし、表示フレームレートをＦＲ（回／秒）とする。即ち、第ｍ行目（但し、ｍ＝１、２、３、…、Ｍ）に配列されたＮ個の画素回路１０、より具体的には、Ｎ個の画素回路１０のそれぞれを構成する発光素子が同時に駆動される。換言すれば、１つの行を構成する各発光素子にあっては、その発光／非発光のタイミングは、それらが属する行単位で制御される。尚、１つの行を構成する各画素回路１０について映像信号を書き込む処理は、全ての画素回路１０について同時に映像信号を書き込む処理（同時書込み処理とも称する）でもよいし、画素回路１０毎に順次映像信号を書き込む処理（順次書込み処理とも称する）でもよい。何れの書込み処理とするかは、駆動回路の構成に応じて適宜選択すればよい。
【手続補正７】
【補正対象書類名】明細書
【補正対象項目名】００６０
【補正方法】変更
【補正の内容】
【００６０】
因みに、駆動トランジスタＴＲDは、発光素子の発光状態においては、以下の式（１）に従ってドレイン電流Ｉdsを流すように駆動される。ドレイン電流Ｉdsが発光部ＥＬＰを流れることで発光部ＥＬＰが発光する。更には、ドレイン電流Ｉdsの値の大小によって、発光部ＥＬＰにおける発光状態（輝度）が制御される。発光素子の発光状態においては、駆動トランジスタＴＲDの２つの主電極端（ソース／ドレイン領域）は、一方（発光部ＥＬＰのアノード端側）がソース端（ソース領域）として働き、他方がドレイン端（ドレイン領域）として働く。説明の便宜のため、以下の説明において、駆動トランジスタＴＲDの一方の主電極端を単にソース端と称し、他方の主電極端を単にドレイン端と呼ぶ場合がある。尚、実効的な移動度μ、チャネル長Ｌ、チャネル幅Ｗ、制御入力端の電位（ゲート電位Ｖg）とソース端の電位（ソース電位Ｖs）との電位差（ゲート・ソース間電圧）Ｖgs、閾値電圧Ｖth、等価容量Ｃox（（ゲート絶縁層の比誘電率）×（真空の誘電率）／（ゲート絶縁層の厚さ））、係数ｋ≡（１／２）・（Ｗ／Ｌ）・Ｃoxとする。
【手続補正８】
【補正対象書類名】明細書
【補正対象項目名】００６３
【補正方法】変更
【補正の内容】
【００６３】
〔前処理工程〕
第１ノードＮＤ1と第２ノードＮＤ2との間の電位差が、駆動トランジスタＴＲDの閾値電圧Ｖthを越え、且つ、第２ノードＮＤ2と発光部ＥＬＰに備えられたカソード電極との間の電位差が、発光部ＥＬＰの閾値電圧ＶthELを越えないようにする。このために、第１ノードＮＤ1に第１ノード初期化電圧（Ｖofs）を印加し、第２ノードＮＤ2に第２ノード初期化電圧（Ｖini）を印加する。例えば、発光部ＥＬＰにおける輝度を制御するための映像信号Ｖsigを０〜１０ボルト、電源電圧Ｖccを２０ボルト、駆動トランジスタＴＲDの閾値電圧Ｖthを３ボルト、カソード電位Ｖcathを０ボルト、発光部ＥＬＰの閾値電圧ＶthELを３ボルトとする。この場合、駆動トランジスタＴＲDの制御入力端の電位（ゲート電位Ｖg、つまり第１ノードＮＤ1の電位）を初期化するための電位Ｖofsは０ボルト、駆動トランジスタＴＲDのソース端の電位（ソース電位Ｖsつまり第２ノードＮＤ2の電位）を初期化するための電位Ｖiniは−１０ボルトとする。
【手続補正９】
【補正対象書類名】明細書
【補正対象項目名】００６６
【補正方法】変更
【補正の内容】
【００６６】
〔映像信号書込み処理工程〕
書込走査線ＷＳＬからの書込駆動パルスWSによりオン状態とされた書込トランジスタＴＲWを介して、映像信号線ＤＴＬから映像信号Ｖsigを第１ノードＮＤ1に印加し、第１ノードＮＤ1の電位をＶsigへと上昇させる。この第１ノードＮＤ1の電位変化分（ΔＶin＝Ｖsig−Ｖofs）に基づく電荷が、保持容量Ｃcs、発光部ＥＬＰの寄生容量Ｃel、駆動トランジスタＴＲDの寄生容量（例えばゲート・ソース間容量Ｃgs等）に振り分けられる。静電容量Ｃelが、静電容量Ｃcs及びゲート・ソース間容量Ｃgsの静電容量Ｃgsと比較して十分に大きな値であれば、電位変化分（Ｖsig−Ｖofs）に基づく第２ノードＮＤ2の電位の変化は小さい。一般に、発光部ＥＬＰの寄生容量Ｃelの静電容量Ｃelは、保持容量Ｃcsの静電容量Ｃcs及びゲート・ソース間容量Ｃgsの静電容量Ｃgsよりも大きい。この点を勘案して、特段の必要がある場合を除き、第１ノードＮＤ1の電位変化により生ずる第２ノードＮＤ2の電位変化は考慮しない。この場合、ゲート・ソース間電圧Ｖgsは、式（３）で表すことができる。
【手続補正１０】
【補正対象書類名】明細書
【補正対象項目名】００７３
【補正方法】変更
【補正の内容】
【００７３】
〔駆動回路の構成による相違点〕
ここで、それぞれ典型的な、５Ｔｒ／１Ｃ型、４Ｔｒ／１Ｃ型、３Ｔｒ／１Ｃ型、２Ｔｒ／１Ｃ型での相違点は以下の通りである。５Ｔｒ／１Ｃ型では、駆動トランジスタＴＲDの電源側の主電極端と電源回路（電源部）との間に接続された第１トランジスタＴＲ1（発光制御トランジスタ）と、第２ノード初期化電圧を印加する第２トランジスタＴＲ2と、第１ノード初期化電圧を印加する第３トランジスタＴＲ3とを設ける。第１トランジスタＴＲ1、第２トランジスタＴＲ2、第３トランジスタＴＲ3は何れもスイッチングトランジスタである。第１トランジスタＴＲ1は、発光期間にオン状態としておき、オフ状態にして非発光期間に入り、その後の閾値補正期間に一度オン状態にし、更に移動度補正期間以降（次の発光期間も）オン状態とする。第２トランジスタＴＲ2は、第２ノードの初期化期間にのみオン状態としそれ以外はオフ状態とする。第３トランジスタＴＲ3は、第１ノードの初期化期間から閾値補正期間に亘ってのみオン状態としそれ以外はオフ状態とする。書込トランジスタＴＲWは、映像信号書込み処理期間から移動度補正期間に亘ってオン状態とされ、それ以外はオフ状態とされる。
【手続補正１１】
【補正対象書類名】明細書
【補正対象項目名】００７４
【補正方法】変更
【補正の内容】
【００７４】
４Ｔｒ／１Ｃ型では、５Ｔｒ／１Ｃ型から、第１ノード初期化電圧を印加する第３トランジスタＴＲ3が省略される。第１ノード初期化電圧は映像信号線ＤＴＬから映像信号Ｖsigと時分割で供給される。第１ノードの初期化期間に第１ノード初期化電圧を映像信号線ＤＴＬから第１ノードに供給するべく、書込トランジスタＴＲWは第１ノードの初期化期間にもオン状態とされる。典型的には、書込トランジスタＴＲWは、第１ノードの初期化期間から移動度補正期間に亘ってオン状態とされ、それ以外はオフ状態とされる。
【手続補正１２】
【補正対象書類名】明細書
【補正対象項目名】００７５
【補正方法】変更
【補正の内容】
【００７５】
３Ｔｒ／１Ｃ型では、５Ｔｒ／１Ｃ型から、第２トランジスタＴＲ2と第３トランジスタＴＲ3が省略される。第１ノード初期化電圧及び第２ノード初期化電圧は映像信号線ＤＴＬから映像信号Ｖsigと時分割で供給される。映像信号線ＤＴＬの電位は、第２ノードの初期化期間に第２ノードを第２ノード初期化電圧に設定し、その後の第１ノードの初期化期間に第１ノードを第１ノード初期化電圧に設定するべく、第２ノード初期化電圧と対応した電圧Ｖofs_Hを供給しその後に第１ノード初期化電圧Ｖofs_L（＝Ｖofs）にする。そして、これと対応して、書込トランジスタＴＲWは第１ノードの初期化期間及び第２ノードの初期化期間にもオン状態とされる。典型的には、書込トランジスタＴＲWは、第２ノードの初期化期間から移動度補正期間に亘ってオン状態とされ、それ以外はオフ状態とされる。
【手続補正１３】
【補正対象書類名】明細書
【補正対象項目名】００７７
【補正方法】変更
【補正の内容】
【００７７】
２Ｔｒ／１Ｃ型では、５Ｔｒ／１Ｃ型から、第１トランジスタＴＲ1と第２トランジスタＴＲ2と第３トランジスタＴＲ3が省略される。第１ノード初期化電圧は映像信号線ＤＴＬから映像信号Ｖsigと時分割で供給される。第２ノード初期化電圧は駆動トランジスタＴＲDの電源側の主電極端を、第１電位Ｖcc_H（＝５Ｔｒ／１Ｃ型のＶcc）と第２電位Ｖcc_L（＝５Ｔｒ／１Ｃ型のＶini）でパルス駆動することで与えられる。駆動トランジスタＴＲDの電源側の主電極端は、発光期間に第１電位Ｖcc_Hにされ、第２電位Ｖcc_Lにされることで非発光期間に入り、その後の閾値補正期間以降（次の発光期間も）に第１電位Ｖcc_Hにされる。第１ノードの初期化期間に第１ノード初期化電圧を映像信号線ＤＴＬから第１ノードに供給するべく、書込トランジスタＴＲWは第１ノードの初期化期間にもオン状態とされる。典型的には、書込トランジスタＴＲWは、第１ノードの初期化期間から移動度補正期間に亘ってオン状態とされ、それ以外はオフ状態とされる。
【手続補正１４】
【補正対象書類名】明細書
【補正対象項目名】００８０
【補正方法】変更
【補正の内容】
【００８０】
又、５Ｔｒ／１Ｃ型、４Ｔｒ／１Ｃ型、及び、３Ｔｒ／１Ｃ型の動作においては、書込み処理と移動度補正を別個に行なってもよいし、２Ｔｒ／１Ｃ型と同様に、書込み処理において移動度補正処理を併せて行なってもよい。具体的には、第１トランジスタＴＲ1（発光制御トランジスタ）をオン状態とした状態で、書込トランジスタＴＲWを介して、データ線ＤＴＬから映像信号Ｖsigを第１ノードに印加すればよい。
【手続補正１５】
【補正対象書類名】明細書
【補正対象項目名】００８３
【補正方法】変更
【補正の内容】
【００８３】
先ず、参照子Ａ、参照子Ｚを割愛して、比較例と実施例１とで、共通する部分について説明する。表示装置１は、映像信号Ｖsig（詳しくは信号振幅ΔＶin）に基づいて画素回路１０内の電気光学素子（本例では発光部ＥＬＰとして有機ＥＬ素子１２７を使用する）を発光させる。このため、表示装置１は、画素アレイ部１０２に行列状に配される画素回路１０内に、少なくとも、駆動トランジスタ１２１（駆動トランジスタＴＲD）、保持容量１２０（保持容量Ｃcs）、電気光学素子の一例である有機ＥＬ素子１２７（発光部ＥＬＰ）、及び、サンプリングトランジスタ１２５（書込トランジスタＴＲW）を備える。駆動トランジスタ１２１は、駆動電流を生成して有機ＥＬ素子１２７に供給する。保持容量１２０は、駆動トランジスタ１２１の制御入力端（ゲート端が典型例）と出力端（ソース端が典型例）の間に接続されている。有機ＥＬ素子１２７は、駆動トランジスタ１２１の出力端に接続されている。サンプリングトランジスタ１２５は、保持容量１２０に信号振幅ΔＶinに応じた情報を書き込む。この画素回路１０においては、保持容量１２０に保持された情報に基づく駆動電流Ｉdsを駆動トランジスタ１２１で生成して電気光学素子の一例である有機ＥＬ素子１２７に流すことで有機ＥＬ素子１２７を発光させる。
【手続補正１６】
【補正対象書類名】明細書
【補正対象項目名】００８８
【補正方法】変更
【補正の内容】
【００８８】
又、制御部１０９は、好ましくはブートストラップ動作を、発光期間において電気光学素子（有機ＥＬ素子１２７）の経時変動補正動作を実現するように制御する。このため、制御部１０９は、保持容量１２０に保持された情報に基づく駆動電流Ｉdsが電気光学素子（有機ＥＬ素子１２７）に流れている期間は継続的にサンプリングトランジスタ１２５を非導通状態にしておくことで、制御入力端と出力端の電位差を一定に維持可能にして電気光学素子の経時変動補正動作を実現するとよい。発光時における保持容量１２０のブートストラップ動作により有機ＥＬ素子１２７の電流−電圧特性が経時変動しても駆動トランジスタ１２１の制御入力端と出力端の電位差をブートストラップした保持容量１２０により一定に保つことで、常に一定の発光輝度を保つようにする。又、好ましくは、制御部１０９は、基準電位（＝第１ノード初期化電圧Ｖofs）がサンプリングトランジスタ１２５の入力端（ソース端が典型例）に供給されている時間帯でサンプリングトランジスタ１２５を導通させることで駆動トランジスタ１２１の閾値電圧Ｖthに対応する電圧を保持容量１２０に保持するための閾値補正動作を行なうように制御する。
【手続補正１７】
【補正対象書類名】明細書
【補正対象項目名】００９１
【補正方法】変更
【補正の内容】
【００９１】
尚、２Ｔｒ／１Ｃ構成における閾値補正に当たっては、制御部１０９には、書込走査部１０４での線順次走査に合わせて１行分の各画素回路１０に、駆動電流Ｉdsを電気光学素子（有機ＥＬ素子１２７）に流すために使用される第１電位Ｖcc_Hと第１電位Ｖcc_Hとは異なる第２電位Ｖcc_Lとを切り替えて出力する駆動走査部１０５を設けるのがよい。駆動走査部１０５は、駆動トランジスタ１２１の電源供給端子に第１電位Ｖcc_Hに対応する電圧が供給され、かつサンプリングトランジスタ１２５に信号電位（Ｖofs＋ΔＶin）が供給されている時間帯でサンプリングトランジスタ１２５を導通させることで閾値補正動作を行なうように制御するのがよい。又、２Ｔｒ／１Ｃ構成における閾値補正の準備動作に当たっては、駆動トランジスタ１２１の電源供給端に第２電位Ｖcc_L（＝第２ノード初期化電圧Ｖini）に対応する電圧が供給され、かつサンプリングトランジスタ１２５に基準電位（Ｖofs）が供給されている時間帯でサンプリングトランジスタ１２５を導通させるのがよい。そしてこの状態で、駆動トランジスタ１２１の制御入力端（つまり第１ノードＮＤ1）の電位を基準電位（Ｖofs）に初期化し、出力端（つまり第２ノードＮＤ2）の電位を第２電位Ｖcc_Lに初期化するのがよい。
【手続補正１８】
【補正対象書類名】明細書
【補正対象項目名】００９４
【補正方法】変更
【補正の内容】
【００９４】
駆動トランジスタ１２１の特性変動（例えば閾値電圧や移動度等のばらつきや変動）による駆動電流Ｉdsに与える影響を抑制する方法としては、２Ｔｒ／１Ｃ構成の駆動回路をそのまま駆動信号一定化回路（その１）として採用する。そして、各トランジスタ（駆動トランジスタ１２１及びサンプリングトランジスタ１２５）の駆動タイミングを工夫することで対処する。画素回路１０は、２Ｔｒ／１Ｃ構成であり、素子数や配線数が少ないため、高精細化が可能であることに加えて、映像信号Ｖsigの劣化なくサンプリングできるため、良好な画質を得ることができる。
【手続補正１９】
【補正対象書類名】明細書
【補正対象項目名】００９６
【補正方法】変更
【補正の内容】
【００９６】
駆動トランジスタを始めとする各トランジスタとしてはＦＥＴ（電界効果トランジスタ）を使用する。この場合、駆動トランジスタについては、ゲート端を制御入力端として取り扱い、ソース端及びドレイン端の何れか一方（ここではソース端とする）を出力端として取り扱い、他方（ここではドレイン端とする）を電源供給端として取り扱う。
【手続補正２０】
【補正対象書類名】明細書
【補正対象項目名】０１０３
【補正方法】変更
【補正の内容】
【０１０３】
このような画素回路１０を採用する場合、駆動トランジスタ１２１の他に走査用に１つのスイッチングトランジスタ（サンプリングトランジスタ１２５）を使用する２Ｔｒ／１Ｃ構成を採る。そして、各スイッチングトランジスタを制御する電源駆動パルスDSL及び書込駆動パルスWSのオン／オフタイミングの設定により、有機ＥＬ素子１２７の経時劣化や駆動トランジスタ１２１の特性変動（例えば閾値電圧や移動度等のばらつきや変動）による駆動電流Ｉdsに与える影響を防ぐ。
【手続補正２１】
【補正対象書類名】明細書
【補正対象項目名】０１０６
【補正方法】変更
【補正の内容】
【０１０６】
このような実施例１の構成では、基準電位（Ｖofs）や映像信号Ｖsig（信号電位：Ｖofs＋ΔＶin）が結合容量６２２を介してノードＮＤ１２２に供給される。実施例１では、当該作用を利用して、閾値補正や信号書込みや移動度補正を行なう。このような実施例１の画素回路１０Ａとした意義や利点についての詳細は後述するが、特に、信号書込み時には、マイナス電位の映像信号Ｖsigを書き込むことで、その後の移動度補正時の有機ＥＬ素子１２７を大きな逆バイアス状態にし、移動度補正中に有機ＥＬ素子１２７がターンオンすることを抑制する。移動度補正中の有機ＥＬ素子１２７のターンオンを防止することで、移動度補正動作を正常に行なうことができる。
【手続補正２２】
【補正対象書類名】明細書
【補正対象項目名】０１１２
【補正方法】変更
【補正の内容】
【０１１２】
例えば、有機ＥＬ素子１２７の発光状態は、電源供給線１０５DSLが第１電位Ｖcc_Hであり、サンプリングトランジスタ１２５がオフ状態である（図９（Ａ）を参照）。このとき、駆動トランジスタ１２１は飽和領域で動作するように設定されているため、有機ＥＬ素子１２７に流れる電流Ｉdsは駆動トランジスタ１２１のゲート・ソース間電圧Ｖgs（ノードＮＤ１２１とノードＮＤ１２２との間の電圧）に応じて決まる式（１）に示される値となる。その後、垂直駆動部１０３は、電源供給線１０５DSLが第１電位Ｖcc_Hにありかつ映像信号線１０６HSが映像信号Ｖsigの非有効期間である基準電位（Ｖofs）にある時間帯でサンプリングトランジスタ１２５を導通させる制御信号として書込駆動パルスWSを出力する。これにより、駆動トランジスタ１２１の閾値電圧Ｖthに相当する電圧が保持容量１２０に保持される（図９（Ｄ）を参照）。この動作が閾値補正機能を実現する。この閾値補正機能により、画素回路１０ごとにばらつく駆動トランジスタ１２１の閾値電圧Ｖthの影響をキャンセルすることができる。
【手続補正２３】
【補正対象書類名】明細書
【補正対象項目名】０１１６
【補正方法】変更
【補正の内容】
【０１１６】
こうすることで、ソース端Ｓを基準電位（Ｖofs）より十分低い第２電位Ｖcc_Lにセットし（放電期間Ｃ＝第２ノード初期化期間）（図９（Ｂ）を参照）、且つ、駆動トランジスタ１２１のゲート端Ｇを基準電位（Ｖofs）にセットしてから（初期化期間Ｄ＝第１ノード初期化期間）（図９（Ｃ）を参照）、閾値補正動作を開始する（閾値補正期間Ｅ）。このようなゲート電位及びソース電位のリセット動作（初期化動作）により、後続する閾値補正動作を確実に実行することができる。放電期間Ｃと初期化期間Ｄとを合わせて、駆動トランジスタ１２１のゲート電位Ｖgとソース電位Ｖsを初期化する閾値補正準備期間（＝前処理期間）とも称する。因みに、図示した例は、第１ノードのであるノードＮＤ１２１への初期化動作（初期化期間Ｄ）は３回繰り返しており、放電期間Ｃの開始から最後の初期化期間Ｄが完了するまでが閾値補正準備期間となる。
【手続補正２４】
【補正対象書類名】明細書
【補正対象項目名】０１１８
【補正方法】変更
【補正の内容】
【０１１８】
有機ＥＬ素子１２７の等価回路はダイオードと寄生容量Ｃelの並列回路で表されるため、“Ｖel≦Ｖcath＋ＶthEL”である限り、つまり、有機ＥＬ素子１２７のリーク電流が駆動トランジスタ１２１に流れる電流よりもかなり小さい限り、駆動トランジスタ１２１のドレイン電流Ｉdsは保持容量１２０と寄生容量Ｃelを充電するために使われる。この結果、有機ＥＬ素子１２７のアノード端Ａの電圧ＶelつまりノードＮＤ１２２の電位は、時間とともに上昇してゆく。そして、ノードＮＤ１２２の電位（ソース電位Ｖs）とノードＮＤ１２１の電位（ゲート電位Ｖg）との電位差がちょうど閾値電圧Ｖthとなったところで駆動トランジスタ１２１はオン状態からオフ状態となり、ドレイン電流Ｉdsは流れなくなり、閾値補正期間が終了する。つまり、一定時間経過後、駆動トランジスタ１２１のゲート・ソース間電圧Ｖgsは閾値電圧Ｖthという値をとる。
【手続補正２５】
【補正対象書類名】明細書
【補正対象項目名】０１２１
【補正方法】変更
【補正の内容】
【０１２１】
例えば、第１閾値補正期間Ｅ_1ではゲート・ソース間電圧ＶgsがＶx1（＞Ｖth）になったとき、つまり、駆動トランジスタ１２１のソース電位Ｖsが低電位側の第２電位Ｖcc_Lから“Ｖofs−Ｖx1”になったときに終わってしまう（図９（Ｄ）を参照）。このため、第１閾値補正期間Ｅ_1が完了した時点では、Ｖx1が保持容量１２０に書き込まれる。
【手続補正２６】
【補正対象書類名】明細書
【補正対象項目名】０１２２
【補正方法】変更
【補正の内容】
【０１２２】
次に、駆動走査部１０５は、１水平期間の後半部で、書込駆動パルスWSをインアクティブＬに切り替え、さらに水平駆動部１０６は、映像信号線１０６HSの電位を基準電位（Ｖofs）から映像信号Ｖsig（＝Ｖofs＋ΔＶin）に切り替える（図９（Ｅ）を参照）。これにより、映像信号線１０６HSが映像信号Ｖsigの電位に変化する一方、書込走査線１０４WSの電位（書込駆動パルスWS）はローレベルになる。
【手続補正２７】
【補正対象書類名】明細書
【補正対象項目名】０１２７
【補正方法】変更
【補正の内容】
【０１２７】
画素回路１０においては、閾値補正機能に加えて、移動度補正機能を備えている。即ち、垂直駆動部１０３は、映像信号線１０６HSが映像信号Ｖsigの有効期間である信号電位（Ｖofs＋ΔＶin）にある時間帯にサンプリングトランジスタ１２５を導通状態にするため、書込走査線１０４WSに供給する書込駆動パルスWSを、上述の時間帯より短い期間だけアクティブ（本例ではＨレベル）にする。この期間では、駆動トランジスタ１２１の制御入力端に信号電位（Ｖofs＋ΔＶin）を供給した状態で駆動トランジスタ１２１を介して有機ＥＬ素子１２７の寄生容量Ｃel及び保持容量１２０を充電する（図９（Ｆ）を参照）。この書込駆動パルスWSのアクティブ期間（サンプリング期間でもあり移動度補正期間でもある）を適切に設定することで、保持容量１２０に信号振幅ΔＶinに応じた情報を保持する際、同時に駆動トランジスタ１２１の移動度μに対する補正を加えることができる。水平駆動部１０６により映像信号線１０６HSに信号電位（Ｖofs＋ΔＶin）を実際に供給して、書込駆動パルスWSをアクティブＨにする期間を、保持容量１２０への信号振幅ΔＶinの書込み期間（サンプリング期間とも称する）とする。
【手続補正２８】
【補正対象書類名】明細書
【補正対象項目名】０１４５
【補正方法】変更
【補正の内容】
【０１４５】
発光期間Ｏでは、サンプリングトランジスタ１２５がオフ状態であるので、駆動トランジスタ１２１のゲート電位Ｖgは上昇可能となる。駆動トランジスタ１２１のゲート端Ｇとソース端Ｓと間には保持容量１２０が接続されており、その保持容量１２０による効果によって、ブートストラップ動作が行なわれ、ゲート・ソース間電圧Ｖgsを一定に維持することができる。このとき、駆動トランジスタ１２１に流れる駆動電流Ｉdsは有機ＥＬ素子１２７に流れ、有機ＥＬ素子１２７のアノード電位は駆動電流Ｉdsに応じて上昇する。この上昇分をＶelとする。やがて、ソース電位Ｖsの上昇に伴い、有機ＥＬ素子１２７の逆バイアス状態は解消されるので、駆動電流Ｉdsの流入により有機ＥＬ素子１２７は実際に発光を開始する。ここで、駆動電流Ｉds対ゲート・ソース間電圧Ｖgsの関係は、先のトランジスタ特性を表した式（１）に“Ｖsig＋Ｖth−ΔＶ”或いは“ΔＶin＋Ｖth−ΔＶ”を代入することで、式（５Ａ）或いは式（５Ｂ）（両式を纏めて式（５）と記す）のように表すことができる。
【手続補正２９】
【補正対象書類名】明細書
【補正対象項目名】０１５０
【補正方法】変更
【補正の内容】
【０１５０】
ここで、有機ＥＬ素子１２７は、発光時間が長くなるとそのＩ−Ｖ特性が変化してしまう。そのため、時間の経過とともに、ノードＮＤ１２２の電位も変化する。しかしながら、このような有機ＥＬ素子１２７の経時劣化によりそのアノード電位が変動しても、保持容量１２０に保持されたゲート・ソース間電圧Ｖgsは常に“ΔＶin＋Ｖth−ΔＶ”で一定に維持される。駆動トランジスタ１２１が定電流源として動作することから、有機ＥＬ素子１２７のＩ−Ｖ特性が経時変化し、これに伴って駆動トランジスタ１２１のソース電位Ｖsが変化したとしても、保持容量１２０によって駆動トランジスタ１２１のゲート・ソース間電圧Ｖgsが一定（≒ΔＶin＋Ｖth−ΔＶ）に保たれているため、有機ＥＬ素子１２７に流れる電流は変わらず、したがって有機ＥＬ素子１２７の発光輝度も一定に保たれる。実際にはブートストラップゲインは「１」よりも小さいので、ゲート・ソース間電圧Ｖgsは「ΔＶin＋Ｖth−ΔＶ」よりも小さくなるが、そのブートストラップゲインに応じたゲート・ソース間電圧Ｖgsに保たれることには変わりがない。
【手続補正３０】
【補正対象書類名】明細書
【補正対象項目名】０１５１
【補正方法】変更
【補正の内容】
【０１５１】
以上のように、実施例１の画素回路１０Ａは、回路構成と駆動タイミングを工夫することで、閾値補正回路や移動度補正回路が構成される。画素回路１０Ａは、駆動トランジスタ１２１の特性ばらつき（本例では閾値電圧Ｖth及び移動度μのばらつき）による駆動電流Ｉdsに与える影響を防ぐために、閾値電圧Ｖth及び移動度μによる影響を補正して駆動電流を一定に維持する駆動信号一定化回路として機能するようになっている。ブートストラップ動作だけでなく、閾値補正動作と移動度補正動作とを実行しているため、ブートストラップ動作で維持されるゲート・ソース間電圧Ｖgsは、閾値電圧Ｖthに相当する電圧と移動度補正用の電位補正値ΔＶとによって調整されている。このため、有機ＥＬ素子１２７の発光輝度は駆動トランジスタ１２１の閾値電圧Ｖthや移動度μのばらつきの影響を受けることがないし、有機ＥＬ素子１２７の経時劣化の影響も受けない。入力される映像信号Ｖsig（信号振幅ΔＶin）に対応する安定した階調で表示でき、高画質の画像を得ることができる。
【手続補正３１】
【補正対象書類名】明細書
【補正対象項目名】０１６０
【補正方法】変更
【補正の内容】
【０１６０】
例えば、図１４（Ａ）は、電子機器７００が、画像表示装置の一例である表示モジュール７０４を利用したテレビジョン受像機７０２の場合の外観例を示す斜視図である。テレビジョン受像機７０２は、台座７０６に支持されたフロントパネル７０３の正面に表示モジュール７０４を配置した構造となっており、表示面にはフィルターガラス７０５が設けられている。図１４（Ｂ）は、電子機器７００がデジタルカメラ７１２の場合の外観例を示す図である。デジタルカメラ７１２は、表示モジュール７１４、コントロールスイッチ７１６、シャッターボタン７１７、その他を含んでいる。図１４（Ｃ）は、電子機器７００がビデオカメラ７２２の場合の外観例を示す図である。ビデオカメラ７２２は、本体７２３の前方に被写体を撮像する撮像レンズ７２５が設けられ、更に、表示モジュール７２４や撮影のスタート／ストップスイッチ７２６等が配置されている。図１４（Ｄ）は、電子機器７００がコンピュータ７３２の場合の外観例を示す図である。コンピュータ７３２は、下側筐体７３３ａ、上側筐体７３３ｂ、表示モジュール７３４、Ｗｅｂカメラ７３５、キーボード７３６等を含んでいる。図１４（Ｅ）は、電子機器７００が携帯電話機７４２の場合の外観例を示す図である。携帯電話機７４２は、折り畳み式であり、上側筐体７４３ａ、下側筐体７４３ｂ、表示モジュール７４４ａ、サブディスプレイ７４４ｂ、カメラ７４５、連結部７４６（この例ではヒンジ部）、ピクチャーライト７４７等を含んでいる。
【手続補正３２】
【補正対象書類名】明細書
【補正対象項目名】０１６６
【補正方法】変更
【補正の内容】
【０１６６】
前記実施形態の記載を踏まえれば、特許請求の範囲に記載の請求項に係る技術は一例であり、例えば、以下の技術が抽出される。以下列記する。
[付記１]
電気光学素子と、
保持容量と、
一方の主電極端に供給された映像信号と対応する駆動電圧を保持容量に書き込む書込トランジスタと、
制御入力端が保持容量の一端と第１ノードにて接続されており、保持容量に書き込まれた駆動電圧に基づいて電気光学素子を駆動する駆動トランジスタ、
とを備え、
駆動トランジスタの一方の主電極端と保持容量の他端と電気光学素子の一端とが電気的に第２ノードに接続されており、
書込トランジスタを介して映像信号と対応する駆動電圧を保持容量に書き込みつつ、駆動トランジスタを介して保持容量に電流を供給する第１の処理の際に、電気光学素子がターンオンするのを抑制可能に構成されている
画素回路。
[付記２]
第１の処理の際に電気光学素子がターンオンしない程度に、第１の処理の開始前に予め電気光学素子を逆バイアス状態に制御可能に構成されている
付記１に記載の画素回路。
[付記３]
映像信号と対応する駆動電圧を保持容量に書き込みつつ駆動トランジスタを介して保持容量に電流を供給する第１の処理と連動して、電気光学素子がターンオンするのを抑制する制御部、
を備えている付記１又は付記２に記載の画素回路。
[付記４]
制御部は、第１ノードと駆動トランジスタの他方の主電極端との間に、駆動トランジスタの閾値電圧の補正を行なう第２の処理を制御する閾値補正制御トランジスタを有する
付記３に記載の画素回路。
[付記５]
制御部は、書込トランジスタの他方の主電極端と第２ノードとの間に結合容量を有する
付記３又は付記４に記載の画素回路。
[付記６]
駆動トランジスタの閾値電圧の補正を行なう第２の処理時には、初期化電圧が書込トランジスタを介して結合容量に供給される
付記５に記載の画素回路。
[付記７]
制御部は、駆動トランジスタの閾値電圧の補正を行なう第２の処理時に初期化電圧を結合容量に供給する初期化トランジスタを有する
付記５に記載の画素回路。
[付記８]
映像信号の初期化電圧に対する極性は、第１の処理の開始前に電気光学素子を逆バイアス状態に制御可能な極性である
付記６又は付記７に記載の画素回路。
[付記９]
制御部は、駆動トランジスタの他方の主電極端と電源線との間に発光制御トランジスタを有する
付記３乃至付記８の何れか１項に記載の画素回路。
[付記１０]
電気光学素子が配列された画素部を備え、
特性制御部は、電気光学素子ごとに、駆動トランジスタの特性を制御する
付記１乃至付記９の何れか１項に記載の画素回路。
[付記１１]
画素部は、電気光学素子が２次元マトリクス状に配列されている
付記１０に記載の画素回路。
[付記１２]
電気光学素子は自発光型である
付記１乃至付記１１の何れか１項に記載の画素回路。
[付記１３]
電気光学素子は有機エレクトロルミネッセンス発光部を有する
付記１２に記載の画素回路。
[付記１４]
電気光学素子、保持容量、一方の主電極端に供給された映像信号と対応する駆動電圧を保持容量に書き込む書込トランジスタ、及び、制御入力端が保持容量の一端と第１ノードにて接続されており保持容量に書き込まれた駆動電圧に基づいて電気光学素子を駆動する駆動トランジスタを具備した表示素子が配列されており、
駆動トランジスタの一方の主電極端と保持容量の他端と電気光学素子の一端とが電気的に第２ノードに接続されており、更に、
映像信号と対応する駆動電圧を保持容量に書き込みつつ駆動トランジスタを介して保持容量に電流を供給する第１の処理と連動して、電気光学素子がターンオンするのを抑制する制御部、
を備えた表示装置。
[付記１５]
制御部は、
第１ノードと駆動トランジスタの主電極端の他端との間に、駆動トランジスタの閾値電圧の補正を行なう第２の処理を制御する閾値補正制御トランジスタを有し、更に、
閾値補正制御トランジスタをオン／オフ制御する閾値補正制御走査部を有する
付記１４に記載の表示装置。
[付記１６]
制御部は、
駆動トランジスタの閾値電圧の補正を行なう第２の処理時には、初期化電圧が一方の主電極端に供給されている書込トランジスタを制御する
付記１５に記載の表示装置。
[付記１７]
制御部は、
駆動トランジスタの閾値電圧の補正を行なう第２の処理時に初期化電圧を結合容量に供給する初期化トランジスタを有し、更に、
初期化トランジスタをオン／オフ制御する初期化走査部を有する
付記１５に記載の表示装置。
[付記１８]
制御部は、
駆動トランジスタの他方の主電極端と電源線との間に発光制御トランジスタを有し、更に、
発光制御トランジスタをオン／オフ制御する発光制御走査部を有する
付記１４乃至付記１７の何れか１項に記載の表示装置。
[付記１９]
電気光学素子、保持容量、一方の主電極端に供給された映像信号と対応する駆動電圧を保持容量に書き込む書込トランジスタ、及び、制御入力端が保持容量の一端と第１ノードにて接続されており保持容量に書き込まれた駆動電圧に基づいて電気光学素子を駆動する駆動トランジスタを具備した表示素子が配列されており、駆動トランジスタの一方の主電極端と保持容量の他端と電気光学素子の一端とが電気的に第２ノードに接続されている画素部と、
画素部に供給される映像信号を生成する信号生成部と、
映像信号と対応する駆動電圧を保持容量に書き込みつつ駆動トランジスタを介して保持容量に電流を供給する第１の処理と連動して、電気光学素子がターンオンするのを抑制する制御部、
とを備えた電子機器。
[付記２０]
電気光学素子を駆動する駆動トランジスタを備えた画素回路を駆動する方法であって、
映像信号と対応する駆動電圧を保持容量に書き込みつつ駆動トランジスタを介して保持容量に電流を供給する処理の際に、電気光学素子がターンオンするのを抑制する
画素回路の駆動方法。
【手続補正３３】
【補正対象書類名】図面
【補正対象項目名】図１
【補正方法】変更
【補正の内容】
【図１】
2013019953.tif 000001
【手続補正３４】
【補正対象書類名】図面
【補正対象項目名】図２
【補正方法】変更
【補正の内容】
【図２】
2013019953.tif 000002
【手続補正３５】
【補正対象書類名】図面
【補正対象項目名】図１４
【補正方法】変更
【補正の内容】
【図１４】
2013019953.tif 000003